(57)【要約】【課題】施工が容易で、デザインの自由度も高く、特に、緑化壁面を屈曲状や曲面状に形成するのに適した緑化壁面構造を提供する。【解決手段】植物３を担持した植物担持体１を、その幅方向に連接することで形成された緑化壁面構造であって、植物担持体１が幅狭の柱体であって、該担持体１の少なくとも前面側に植物３を担持する担持部２が形成された構成とする。植物担持体１を幅方向に連接し、担持部２に植物３を担持させるという簡易な施工で、リラックス感の向上、室内環境のアメニティの向上、空気浄化作用などに貢献する緑化壁面構造を形成することができる。植物担持体１を幅狭の柱体としたため、その担持体１を少しずつズラしながら連設すると、屈曲状や曲面状の緑化壁面１００を容易に形成することができ、デザインの自由度が極めて高い。【選択図】図１
2015104314.tif 000002
【特許請求の範囲】
【請求項１】
植物を担持した植物担持体を、その幅方向に連接することで形成された緑化壁面構造であって、
上記植物担持体が幅狭の柱体であって、該担持体の少なくとも前面側に植物を担持する担持部が形成されていることを特徴とする緑化壁面構造。
【請求項２】
上記植物担持体が角柱であって、隣接する植物担持体の前面側及び／又は背面側に隙間を設けて連設しており、植物の繁茂範囲が隣接する植物担持体にまで及んでいることを特徴とする請求項１に記載の緑化壁面構造。
【請求項３】
上記植物担持体が円柱であって、隣接する植物担持体が前後方向にズレて連設されており、植物の繁茂範囲が隣接する植物担持体にまで及んでいることを特徴とする請求項１に記載の緑化壁面構造。
【発明の詳細な説明】
【技術分野】
【０００１】
本発明は、公共・商業施設や会社のエントランスなど、主に屋内施設に設置される緑化壁面構造に関するものである。
【背景技術】
【０００２】
近年、リラックス感の向上、室内環境のアメニティの向上、ホルムアルデヒドなどの揮発性化学物質を吸収する空気浄化作用などが注目されて、公共・商業施設や会社のエントランスなど屋内施設の一角に、緑化空間が設けられるようになってきている。このような緑化空間を形成する手段として、ユニット化された壁面に植物を植栽して、その壁面を緑化する方法が採られることが多い。
【０００３】
壁面を緑化する手法の一つとして、複数段積上げ可能な緑化用ユニットからなり、それぞれの緑化用ユニットは、背面板と底板と天板とからなる前面が解放された本体と、この本体に収容する１個以上の植栽容器からなり、上記底板及び天板に、それぞれ適宜間隔を開けて排水孔及び給水孔を形成した植栽用壁体が提案されている（特許文献１）。
【０００４】
上記特許文献１の植栽用壁体を、自動車専用道路などの側壁として設置すると、自動車騒音の防音・遮音が達成され、壁面の緑化による良好な景観が確保され、道路近傍の温度上昇が抑制される、といった効果が確認されている。
【先行技術文献】
【特許文献】
【０００５】
【特許文献１】特開平０９−００９７８７号公報
【発明の概要】
【発明が解決しようとする課題】
【０００６】
しかしながら、上記特許文献１の植栽用壁体は、自動車専用道路等の屋外の側壁として利用されるものであり、屋内施設に設置する緑化壁面としては適したものではなかった。
一方、屋内施設に用いられてきた従来の緑化壁面は、幅広の壁面を１枚から複数枚用いることで、緑化壁面の形状を決定するものであるが、従来のユニット化された壁面は、幅広のためデザインの自由度が低く、特に、壁面を屈曲状や曲面状に形成するのが困難であった。
【０００７】
本発明は上記の問題に鑑みてなされたもので、その解決しようとする課題は、施工が容易で、デザインの自由度も高く、特に、緑化壁面を屈曲状や曲面状に形成するのに適した緑化壁面構造を提供することにある。
【課題を解決するための手段】
【０００８】
上記目的を達成するため、本発明に係る緑化壁面構造は、植物を担持した植物担持体を、その幅方向に連接することで形成された緑化壁面構造であって、上記植物担持体が幅狭の柱体であって、該担持体の少なくとも前面側に植物を担持する担持部が形成されていることを特徴とするものである。
【０００９】
本発明の緑化壁面構造においては、上記植物担持体が角柱であって、隣接する植物担持体の前面側及び／又は背面側に隙間を設けて連設しており、植物の繁茂範囲が隣接する植物担持体にまで及んでいることが好ましい。また、上記植物担持体が円柱であって、隣接する植物担持体が前後方向にズレて連設されており、植物の繁茂範囲が隣接する植物担持体にまで及んでいる緑化壁面構造も好ましい。
【発明の効果】
【００１０】
本発明の緑化壁面構造は、植物担持体を幅方向に連接し、担持部に植物を担持させるという簡易な施工で、リラックス感の向上、室内環境のアメニティの向上、空気浄化作用などに貢献する緑化壁面構造を形成することができる。しかも、植物担持体を幅狭の柱体としたため、その担持体を少しずつズラしながら連設すると、屈曲状や曲面状の緑化壁面を容易に形成することができ、デザインの自由度が極めて高い。
【００１１】
また、上記植物担持体が角柱であって、隣接する植物担持体の前面側及び／又は背面側に隙間を設けて連設しており、植物の繁茂範囲が隣接する植物担持体にまで及んでいる緑化壁面構造のように、植物担持体が角柱の場合は、隣接する担持体の前面側及び／又は背面側に隙間を設けて連接することで、より曲率半径の小さな曲面状や曲面状の緑化壁面を容易に形成することができる。その際、植物担持体同士の隙間は、担持部に担持させた植物によって覆い隠されるので、美観を損なうこともない。
【００１２】
一方、上記植物担持体が円柱であって、隣接する植物担持体が前後方向にズレて連設されており、植物の繁茂範囲が隣接する植物担持体にまで及んでいる緑化壁面構造のように、植物担持体が円柱の場合は、隣接する担持体を前後方向にズラして連接することで、曲率半径の小さな屈曲状や曲面状の緑化壁面を容易に形成することができ、植物担持体同士の隙間も植物によって覆い隠されて、美観を損なうこともない。
【図面の簡単な説明】
【００１３】
【図１】本発明の一実施形態に係る緑化壁面構造を示す斜視図であって、植栽する植物の一部のみを表したものである。
【図２】同緑化壁面構造の分解斜視図である。
【図３】同緑化壁面構造に用いる植物担持体を示す斜視図である。
【図４】同担持体を示す平面図であって、（ａ）は本実施形態の植物担持体を示し、（ｂ）は他の実施形態の植物担持体を示すものである。
【図５】同担持体と担持体保持枠の取付け方法を示す説明図である。
【図６】同担持体と担持体保持枠の取付け方法の他の実施形態を示す説明図である。
【図７】同緑化壁面構造の水循環システムを示す説明図である。
【図８】同緑化壁面構造の水循環システムに用いられる担持体の種々の形態を示す平面図である。
【図９】同緑化壁面構造に用いる保水部材の取付けを示す説明図である。
【図１０】同緑化壁面構造の植物担持体の担持部に植物を担持させた状態を示す説明図である。
【図１１】同緑化壁面構造を他の実施形態を示す概略平面図である。
【図１２】同緑化壁面構造の更に他の実施形態を示す概略平面図である。
【図１３】本発明の更に他の実施形態に係る緑化壁面構造に用いる植物担持体を示す斜視図である。
【図１４】同緑化壁面構造を示す概略平面図である。
【発明を実施するための形態】
【００１４】
以下、図面を参照して本発明の具体的な実施形態を詳述する。
【００１５】
図１に示す本発明の緑化壁面構造は、植物３を担持させた植物担持体１を、植物担持体１の幅方向に複数連接することで緑化壁面１００を形成するためのものであって、公共・商業施設や会社のエントランスなど、主に屋内施設に設置されるものである。
【００１６】
上記植物担持体１は、図２、図４の（ａ）に示すように、上下方向に長い幅狭の中空体（中空の角柱）であり、その前面（前壁面）には、植物３を担持する担持部２が形成されている。この担持部２は、図３に示すように、植物担持体１の壁面（前壁面）に上下方向に複数穿孔された孔であり、図１０に示すように、上下方向に並んだ二つの担持部２，２の間に保水部材４が配設されることで、担持部２，２が上下方向に仕切られている。このように、上下方向に並んだ二つの担持部２，２の間に保水部材４が配設されることで、担持部２に植物３を挿入すると、その直下に位置する保水部材４から水や栄養分が十分供給されて、水不足になることがない。この植物担持体１の材質は、樹脂製や金属製など特に限定されないが、加工性や重量などを考慮すると、塩化ビニル樹脂などの合成樹脂製のものが好適に用いられる。
【００１７】
また、上記植物担持体１の上端は、図３に示すように、半円形に切欠かれて給水管保持部１ｂが形成されている。そして、この給水管保持部１ｂに給水管５が保持されて、緑化壁面構造の水循環システムが構築されている。即ち、図３、図７に示すように、基台部６に貯水された水がポンプＰによって汲み上げられて、給水管５より下方に位置する保水部材４に供給している。この際、図８に示すように、植物担持体１の内側の内壁面に、スリット付きの通水路１ｃを設けると、給水管５から保水部材４へ確実に水が供給されるようになる。この通水路１ｃは、図８の（ａ）に示すように、内壁面の角部に設けてもよいし、図８の（ｂ）に示すように、背面側の内壁面のセンターに設けてもよいが、前面側に設けると担持部２より水が担持部２から外側に漏水してしまうので好ましくない。また、塩ビ管の側面に複数の孔が長手方向に連続して穿孔された孔開きパイプ（不図示）を、通水路１ｃに配設してもよい。このような孔開きパイプは、単に植物担持体１に挿入しただけでは、孔開きパイプの孔に土等が入り込んで目詰まりする恐れがあるが、上記のように、区画された通水路１ｃの内側に孔開きパイプを通すことで、目詰まりを防止することができ、清掃や交換などのメンテナンスも容易となる。
【００１８】
尚、ここで植物担持体１が幅狭であるとは、植物担持体１の高さＨと幅Ｗの比率が、４０：１〜５：１程度のことを言い、形成する緑化壁面１００の大きさにもよるが、高さＨが５００〜３０００ｍｍ程度、幅Ｗが５０〜３００ｍｍ程度の植物担持体１が好適に用いられ、植物担持体１の高さＨが１０００〜２０００ｍｍ程度、幅Ｗが７０〜２００ｍｍ程度であると、植物の育成に必要なスペースを確保しつつ、様々な屋内施設の設置スペースに適合し易いのでより好ましい。
【００１９】
植物担持体１の幅Ｗと奥行きＤの比率は、本実施形態では１：１であり、上記のように、植物担持体１の幅Ｗが５０〜３００ｍｍ程度、より好ましくは７０〜２００ｍｍ程度であるので、奥行きＤは５０〜３００ｍｍ程度、より好ましくは７０〜２００ｍｍ程度のものが用いられる。
尚、植物３の根の広がり方や保水量などを考慮すると、植物担持体１の幅Ｗと奥行きＤの比率が、０．５：１や１：０．５などでも勿論構わない。
【００２０】
上記植物担持体１の形状は、特に限定されないが、本実施形態のような植物担持体１が中空の角柱であり、複数の孔を穿孔することで担持部２を形成した場合は、担持部２はホールソーなどの器具により後加工で形成されるので、植物担持体１の形状も後加工（穿孔）し易い形状が好まれる。従って、植物担持体１の正面側は平面部（平らな壁）であることが好ましく、後述する担持体保持枠８への取付けを考慮すると、背面側も平面部であることが好ましい。更に、この植物担持体１は、その幅方向に連接して緑化壁面１００を形成するものであるので、左右両面も平面部であることが好ましく、これらのことを勘案すると、好ましい形状は正方形や正八角形などであり、内部に配設する保水部材４の加工性などを考慮すると、正方形又は長方形が最も好ましい形状となる。
【００２１】
上記のような植物担持体１の前面側に形成された担持部２は、前述したように、植物担持体１の前壁面に上下方向に複数穿孔された円形の孔であって、その直径は、植物担持体１の幅Ｗや担持する植物３の大きさ等を考慮して、４０ｍｍ〜２９０ｍｍ程度となっている。また、図１、図３に示すように、この担持部２は、隣の植物担持体１に形成された担持部２と、段差（高さの差異）が生じるように、隣接する植物担持体１の担持部２，２の間に位置するように穿孔されている。このように担持部２を段違いに形成することで、隣接する植物担持体１に担持される植物３同士が干渉し合って生長の妨げや美観の低下を引き起こすことを防止できるようになる。この担持部２は、植物担持体１の少なくとも前面側に形成していれば、植物３を担持させることができるものであり、植物担持体１の四面全てに形成すると、植物担持体１の方向性がなくなり設置作業が容易となる反面、植物担持体１の強度が低下するので好ましくない。本実施形態では、緑化壁面１００を形成した際、左右両端に位置する植物担持体１のみに、その側面（緑化壁面１００の右端に位置する植物担持体１は右側面、左端に位置する植物担持体１は左側面）にも担持部２を形成している。このようにすることで、緑化壁面１００の両端に位置する植物担持体１が植物３によって覆い隠されて目立たなくなり、美観を損なう心配がなくなる。
尚、図４の（ｂ）に示すように、担持部２（孔）が形成された部分のみを別体の平板１ｅとし、植物担持体１の本体に２つの凹溝１ｄ，１ｄを設け、その凹溝１ｄ，１ｄ該平板１ｅをスライド挿入できるようにしてもよい。このように担持部２が形成された部分を別体の平板１ｅとすると、植物担持体１の本体に対して、担持部２（孔）の位置を自由にズラすことができるようになり、自由度が高まる。
また、必ずしも担持部２が本実施形態のような孔である必要はなく、例えば、植物３を植栽したかごを担持部２とし、そのかごを植物担持体１の正面などに取付けるようにしてもよく、その場合は、植物担持体１は中空体である必要はない。
【００２２】
次に、上記植物担持体１の担持部２に担持される植物３として、屋内施設でも植栽可能で、且つ、色彩等のデザインに優れたポトス、ポトスライム、フィカスプミラ、シャムオリヅルラン、フィロデンドロノキシカジューム、クロトン、ハツユキカズラ、テイカカズラ、コンシンネホワイトポリー、コンシンネグリーン、コンシンネレインボーなどの葉植物や、ミニデンファレ、ミニコチョウランなどの花が好適に植栽される。この際、植物３が枯れないようにするため、屋内施設の温度は１２〜３０℃程度、寒暖の温度差が８℃以下になるように設定することが好ましく、最低室温が８℃以下にならないように注意する必要がある。また、植物３のことを考えると、湿度は６０〜７０％程度が好ましいが、人の利用やＯＡ機器等を考慮すると、４０〜５０％程度に設定することが好ましく、風速０．５ｍ／ｓｅｃ程度の風を与えることがより好ましい。
【００２３】
前述したように、上記植物３は、植物担持体１の担持部２に挿入されて担持され、保水部材４から水分や栄養分を補給する。保水部材４は、適度な弾性を有する連続気泡タイプの発泡体で、植物担持体１の内壁面の水平断面形状と略同形状（実施形態では直方体）で、略同じ大きさをしている。この保水部材４は、担持部２に対して圧縮した状態で押し込まれ、図９に示すように、担持部２の縁（孔の縁）に固定されて植物担持体１の内側に配設される。保水部材４を担持部２の縁に固定するために、次に説明する吊し部材４０が用いられる。
【００２４】
即ち、吊し部材４０は、図９に示すように、保水部材４を保持する保持部４０ａと、担持部２の縁に引っ掛けて係止させるためのフック部４０ｂからなるもので、このような吊し部材４０の保持部４０ａに保水部材４を保持させて、フック部４０ｂを担持部２の縁に引っ掛けて係止させることにより、保水部材４は植物担持体１の内側に配設されている。圧縮した状態で押し込まれた保水部材４は、植物担持体１の内側で元の形状、大きさに戻り、上記のように、保水部材４は、植物担持体１の内壁面の水平断面形状と略同じ形状、大きさであるので、担持部２の縁に引っ掛けただけであっても、植物担持体１の内部での保水部材４の動きが抑制され安定して固定される。また、図９の（ｂ）に示すように、保水部材４の上面が、担持部２の縁より少し下がった箇所に位置するようになるので、担持部２に担持される植物３がそのスペースに嵌まり込み、脱落する心配がなくなる。このように吊し部材４０を用いて保水部材４を配設することで、植物担持体１を設置した後でも、容易に保水部材４を取付けることができ、また、取外しも容易であるため、メンテナンスや交換作業が容易となる。
【００２５】
上記のような構成の植物担持体１を複数用いることにより、屋内施設に緑化壁面１００が形成される。即ち、緑化壁面１００は、植物担持体１の担持部２に植物３を担持させると共に、植物担持体１をその幅方向に連設することにより形成される。その際、植物担持体１は、図１、図２、図５に示すように、担持体保持枠８に脱着可能に取付けられている。具体的には、植物担持体１の背面側と担持体保持枠８の正面側に、それぞれ一対の固定具１ａ，８ａが取付けられており、植物担持体１の固定具１ａを上下方向若しくは水平方向から、担持体保持枠８の固定具８ａに嵌合させて固定している。
【００２６】
上記担持体保持枠８は、図２、図５に示すように、中空角形の棒状部材であって、上下方向に所定の間隔を開けて基礎枠７に配設されている。この担持体保持枠８の材質は、樹脂製や金属製などでもよいが、加工性や耐久性を考慮すると、アルミ製やステンレス製のものが好ましく、本実施形態のように、緑化壁面１００を曲面状に形成したい場合は、担持体保持枠８を曲面状に曲げ加工し、その担持体保持枠８に植物担持体１を取付けていく。
【００２７】
上記植物担持体１と担持体保持枠８に取付けられた固定具１ａ，８ａは、それぞれ同じものであって、それを植物担持体１と担持体保持枠８とで上下逆さま（上下対称且つ左右対称）にして取付けている。この固定具１ａ，８ａは、図５に示すように、植物担持体１の背面側又は担持体保持枠８の正面側に取付けるための取付け部１０ａ，８０ａと、その取付け部１０ａ，８０ａから斜め外方向に突設される突設片１１ａ，８１ａと、突設片１１ａ，８１ａに続く水平片１２ａ，８２ａと、水平片１２ａ，８２ａの先端に形成された略Ｕ字状の返し部１３ａ，８３ａからなるもので、返し部１３ａ，８３ａの幅よりも、植物担持体１の背面又は担持体保持枠８の前面から返し部１３ａ，８３ａまでの距離が短く、一度嵌合させると、植物担持体１と担持体保持枠８は上下方向に抜けないようになっている。従って、植物担持体１と担持体保持枠８を嵌合させた後は、植物担持体１を水平方向にスライドさせて取外すようになっている。また、連設した植物担持体１の両端又は担持体保持枠８の両端にストッパ（不図示）を設け、両端に位置する植物担持体１がスライドしないようにすることで、植物担持体１全体が担持体保持枠８から脱落してしまうことがなくなるので好ましい。
尚、図示はしないが、上記固定具１ａ，８ａは、ボルト・ナット等により、植物担持体１及び担持体保持枠８に取付けられている。
【００２８】
上記のように、本実施形態では、植物担持体１が固定具１ａ，８ａにより担持体保持枠８に取付けられているので、植物担持体１の脱着作業を容易且つ迅速に行うことができるが、図６に示すような、取付け金具８ｂを用いて植物担持体１を担持体保持枠８に取付けてもよい。この取付け金具８ｂは、植物担持体１を内側に保持する保持枠８０ｂと、その保持枠８０ｂから外側に突設された取付け部８１ｂからなるもので、保持枠８０ｂの内側に植物担持体１を保持させて、取付け部８１ｂに挿通されたボルト８ｃとナット８ｄにより、植物担持体１を担持体保持枠８に取付けている。
【００２９】
上記担持体保持枠８は、図２に示すように、基礎枠７に配設されている。この基礎枠７は、複数本の角形棒材が基台部６の形状に沿うように組み上げられて形成された枠組みであって、この基礎枠７の最前列に配置された棒材の上下に、担持体保持枠８が直交するよう配設されて固定されている。
【００３０】
また、基台部６は、上記基礎枠７の土台となると共に、貯水槽としての役割も果たすので、ある程度の深さを有するものが好ましい。基台部６の形状は、緑化壁面１００のデザインによって様々に変更されるものであるが、本実施形態では、１／４円弧状に形成された壁面を有する形状をしている。基台部６をこのような形状にすると、基台部６を２つ並列することにより、半円状の湾曲面を有する緑化壁面１００を形成することもできるようになり、デザインの汎用性が高くなる。
【００３１】
そして、上記の基台部６の内壁面に沿って基礎枠７を組み上げ、基礎枠７の最前列に配置された棒材に、担持体保持枠８が直交するよう上下方向に配設して固定する。そして、その担持体保持枠８に、上記の植物担持体１を取付けていく。前述したように、植物担持体１の取付けは、植物担持体１の固定具１ａを、上下方向若しくは水平方向から、担持体保持枠８の固定具８ａに嵌合させて係止させることにより行う。
【００３２】
担持体保持枠８に植物担持体１を取付ける際は、図１、図１１、図１２に示すように、隣接する植物担持体１の前面側及び背面側に隙間Ｓを設けて連設することが好ましい。そして、担持体保持枠８に植物担持体１の取付けが完了すると、担持部２から保水部材４を植物担持体１の内側に圧縮した状態で挿入し、吊し部材４０により保水部材４を担持部２の縁に固定する。勿論、予め保水部材４を配設した植物担持体１を、担持体保持枠８に取付けても構わない。
尚、ここで言う隙間Ｓ、即ち、請求項に記載の「隙間」とは、図１２に示すような植物担持体１を直線状に連設した際に生じる隙間のことを意味するものではなく、図１１に示すような植物担持体１を曲線状に連接した際に生じる略Ｖ字状に開いた隙間のことを意味し、更に詳しくは、Ｖ字状の中でも窄んでいる側の隙間ではなく、開いている側の隙間のことを意味するものであって、接していないことによる間隔（ここでは、図１２に示すような植物担持体１を単に直線状に連接した際に生じる小さな隙間のことを言う。）より広い隙間を意味するものである。
【００３３】
上記のように、植物担持体１の内側に保水部材４を配設すると、担持部２が保水部材４によって上下に仕切られるので、その担持部２に植物３を担持させていく。このとき、植物３の繁茂範囲Ｒが隣接する植物担持体１にまで及ぶように植物３を植栽すると、植物担持体１と植物担持体１の隙間Ｓが植物３に隠れて目立たなくなるため、立派な緑化壁面１００を形成することができる。
【００３４】
以上のような工程で、図１に示すように、１／４円弧状の緑化壁面１００が形成される。本発明の緑化壁面構造は、上記から明らかなように、植物担持体１を幅狭の中空の角柱としたことで、屈曲状や曲面状の緑化壁面１００を容易に形成することができるものである。即ち、図１１に示すように、略Ｓ字状の担持体保持枠８に植物担持体１を取付けていくだけで略Ｓ字状の緑化壁面１００を形成したり、図１２に示すように、直線状の担持体保持枠８に植物担持体１を取付けていくだけで直線状の緑化壁面１００を形成したりすることができ、また、略Ｓ字状の緑化壁面１００と直線状の緑化壁面１００を組み合わせることもできるので、デザインの自由度が極めて高い。そして、隣接する植物担持体１の前面側及び背面側に隙間Ｓを設けて連接したことで、より曲率半径の小さな曲面状や曲面状の緑化壁面１００を容易に形成することができるようになり、植物３の繁茂範囲Ｒが隣接する植物担持体１にまで及ぶように植物３を植栽することで、その隙間Ｓが植物３の繁茂範囲Ｒによって覆い隠されて、美観を損なう心配もない。
尚、デザイン性を高めるため、植物担持体１は、本実施形態のように鉛直方向に立設されていなくてもよく、所定の角度で傾斜していてもよい（鉛直平面上における傾斜や前後方向の傾斜など）。
【００３５】
図１３は本発明の更に他の実施形態に係る緑化壁面構造に用いる植物担持体を示す斜視図、図１４は同緑化壁面構造を示す概略平面図である。
【００３６】
本実施形態の緑化壁面構造は、前述した図１〜図１２に示す緑化壁面構造が、植物担持体１として中空の角柱を用いていたのに対して、ここでは植物担持体１０として中空の円柱を用いたものである。そして、この植物担持体１０を、隣接する植物担持体１０に対して前後方向にズラして連設し、担持部２に植物３を担持させている。その際、植物３の繁茂範囲Ｒが隣接する植物担持体１０にまで及ぶように植物３を植栽している。
本実施形態の緑化壁面構造のその他の構成は、前述した図１〜図１２に示す実施形態と同様であるので、同一部材に同一符号を附して説明を省略する。
【００３７】
本実施形態のように、植物担持体１０が円柱であると、前述した植物担持体１が角柱の場合よりも、担持体保持枠８への取付けが多少困難になるが、角柱とはまた味わいの異なる緑化壁面１００を形成することができるので、設置する屋内施設に合わせて、使い分けることが好ましい。
【符号の説明】
【００３８】
１，１０  植物担持体
１ａ  固定具
１０ａ  取付け部
１１ａ  突設片
１２ａ  水平片
１３ａ  返し部
１ｂ  給水管保持部
１ｃ  通水路
１ｄ  凹溝
１ｅ  平板
Ｓ    植物担持体と隣接する植物担持体の隙間
Ｈ    植物担持体の高さ
Ｗ    植物担持体の幅
Ｄ    植物担持体の奥行き
２    担持部
３    植物
Ｒ    植物の繁茂範囲
４    保水部材
４０  吊し部材
４０ａ  保持部
４０ｂ  フック部
５    給水管
６    基台部
７    基礎枠
８    担持体保持枠
８ａ  固定具
８０ａ  取付け部
８１ａ  突設片
８２ａ  水平片
８３ａ  返し部
８ｂ  取付け金具
８０ｂ  保持枠
８１ｂ  取付け部
８ｃ  ボルト
８ｄ  ナット
Ｐ    ポンプ
１００  緑化壁面
【図１】
2015104314.tif 000003
【図２】
2015104314.tif 000004
【図３】
2015104314.tif 000005
【図４】
2015104314.tif 000006
【図５】
2015104314.tif 000007
【図６】
2015104314.tif 000008
【図７】
2015104314.tif 000009
【図８】
2015104314.tif 000010
【図９】
2015104314.tif 000011
【図１０】
2015104314.tif 000012
【図１１】
2015104314.tif 000013
【図１２】
2015104314.tif 000014
【図１３】
2015104314.tif 000015
【図１４】
2015104314.tif 000016